(57)【要約】【課題】  複数個の照明装置が存在する環境下であっても個々の照明装置の調光比を容易に確認することができる照明装置を提供する。【解決手段】  光源によって照明される被照面と光源との間に配置される液晶パネル２に表示用透明電極２７ａ〜２７ｐを設けた。液晶駆動部は、表示用透明電極２７ａ〜２７ｐ毎に駆動電圧のオンオフを切り替えることで調光比を表示する。音声によって調光比を報知する場合と違い、複数個の照明装置が存在する環境下であっても調光比を容易に確認することができる。【選択図】図１
2007265812.tif 000002
【特許請求の範囲】
【請求項１】
光源を点灯させる点灯手段と、光源と光源によって照明される被照面との間に配置された液晶パネルと、点灯手段が光源に供給する電力を制御することにより光源の調光比を制御する制御手段とを備え、
液晶パネルは、互いに対向する透明基板と、各透明基板の対向面にそれぞれ設けられた透明電極と、透明電極間に設けられ透明電極間にかけられた駆動電圧により駆動されて光源の光に対する液晶パネルの透過率を変化させる液晶とを有し、
液晶パネルは、少なくとも一方の透明基板において透明電極が互いに電気的に分離されることにより駆動電圧を個別に制御可能とされた複数個のセグメントを有し、
液晶パネルに設けられた各セグメントの駆動電圧を個別に制御することにより光源の調光比を表示する表示制御手段を備えることを特徴とする照明装置。
【請求項２】
光源の累積点灯時間を計測する点灯時間計測手段と、
点灯時間計測手段によって計測された累積点灯時間を所定の光源寿命判定閾値と比較し累積点灯時間が光源寿命判定閾値に達したときに光源の寿命末期を判定する光源寿命判定手段とを備え、
表示制御手段は、光源寿命判定手段によって光源の寿命末期が判定されたときに液晶パネルに設けられた各セグメントを個別に制御することにより光源の寿命末期を表示させることを特徴とする請求項１記載の照明装置。
【請求項３】
液晶パネルが光源の光を受けている累積使用時間を計測するパネル使用時間計測手段と、
パネル使用時間計測手段によって計測された累積使用時間を所定のパネル寿命判定閾値と比較し、累積使用時間がパネル寿命判定閾値に達したときに液晶パネルの寿命末期を判定するパネル寿命判定手段とを備え、
表示制御手段は、パネル寿命判定手段によって液晶パネルの寿命末期が判定されたときに液晶パネルに設けられた各セグメントを個別に制御することにより液晶パネルの寿命末期を表示させることを特徴とする請求項１又は請求項２記載の照明装置。
【請求項４】
検出量に応じた電気信号を出力するセンサを備え、
表示制御手段は、液晶パネルに設けられた各セグメントを個別に制御することによりセンサの出力に応じた表示を行わせることを特徴とする請求項１〜３のいずれか記載の照明装置。
【請求項５】
センサとして、検出量が湿度である湿度センサと、検出量が気温である温度センサと、検出量が煙濃度である煙検知センサと、検出量が時刻である時刻センサとの少なくとも１個を備えることを特徴とする請求項４記載の照明装置。
【請求項６】
液晶パネルが光源と光源によって照明される被照面との間に位置するように点灯手段と光源と液晶パネルとをそれぞれ保持する装置本体と、装置本体から分離して携行可能なリモコン装置を備え、
リモコン装置は、使用者による操作入力を受け付ける操作部と、操作部で受け付けられた操作入力に応じたワイヤレス信号を送信する送信部とを有し、
装置本体には、リモコン装置から送信されたワイヤレス信号を受信する受信部が保持され、
表示制御手段は、受信部に受信されたワイヤレス信号に応じて、液晶パネルに設けられた各セグメントを個別に制御することにより、表示を行わせることを特徴とする請求項１〜５のいずれか記載の照明装置。
【発明の詳細な説明】
【技術分野】
【０００１】
本発明は、照明装置に関するものである。
【背景技術】
【０００２】
従来から、光源の光束を制御可能な照明装置における光源の定格点灯時の光束に対する光束の比（以下、「調光比」と呼ぶ。）など、種々の状態を音声により報知する報知手段を備える照明装置が提供されている（例えば、特許文献１参照）。
【特許文献１】特開２００５−２０３２７５号公報
【発明の開示】
【発明が解決しようとする課題】
【０００３】
しかし、音声による報知の場合、複数個の照明装置が存在する環境下では、操作によって報知を行わせる場合には報知を行わせるための操作を照明装置毎に個別に行う必要があって手間がかかり、自動的に報知を行わせる場合には複数個の照明装置による報知が同時に行われて個々の報知が聞き取れないことがあり、いずれにしても個々の照明装置の状態を確認することが困難であった。
【０００４】
本発明は上記事由に鑑みて為されたものであり、その目的は、複数個の照明装置が存在する環境下であっても個々の照明装置の調光比を容易に確認することができる照明装置を提供することにある。
【課題を解決するための手段】
【０００５】
請求項１の発明は、光源を点灯させる点灯手段と、光源と光源によって照明される被照面との間に配置された液晶パネルと、点灯手段が光源に供給する電力を制御することにより光源の調光比を制御する制御手段とを備え、液晶パネルは、互いに対向する透明基板と、各透明基板の対向面にそれぞれ設けられた透明電極と、透明電極間に設けられ透明電極間にかけられた駆動電圧により駆動されて光源の光に対する液晶パネルの透過率を変化させる液晶とを有し、液晶パネルは、少なくとも一方の透明基板において透明電極が互いに電気的に分離されることにより駆動電圧を個別に制御可能とされた複数個のセグメントを有し、液晶パネルに設けられた各セグメントの駆動電圧を個別に制御することにより光源の調光比を表示する表示制御手段を備えることを特徴とする。
【０００６】
この発明によれば、調光比が液晶パネルに表示されることによって報知されるから、報知を音声によって行う場合と違い、複数個の照明装置で同時に報知が行われた場合にも個々の照明装置の調光比を容易に確認することができる。また、騒音の中であっても、耳の不自由な人にとっても、調光比の確認が容易である。
【０００７】
請求項２の発明は、請求項１の発明において、光源の累積点灯時間を計測する点灯時間計測手段と、点灯時間計測手段によって計測された累積点灯時間を所定の光源寿命判定閾値と比較し累積点灯時間が光源寿命判定閾値に達したときに光源の寿命末期を判定する光源寿命判定手段とを備え、表示制御手段は、光源寿命判定手段によって光源の寿命末期が判定されたときに液晶パネルに設けられた各セグメントを個別に制御することにより光源の寿命末期を報知することを特徴とする。
【０００８】
この発明によれば、光源の寿命末期が報知されることにより、使用者は光源の寿命が尽きる前に光源を交換することができる。
【０００９】
請求項３の発明は、請求項１又は請求項２の発明において、液晶パネルが光源の光を受けている累積使用時間を計測するパネル使用時間計測手段と、パネル使用時間計測手段によって計測された累積使用時間を所定のパネル寿命判定閾値と比較し、累積使用時間がパネル寿命判定閾値に達したときに液晶パネルの寿命末期を判定するパネル寿命判定手段とを備え、表示制御手段は、パネル寿命判定手段によって液晶パネルの寿命末期が判定されたときに液晶パネルに設けられた各セグメントを個別に制御することにより液晶パネルの寿命末期を報知することを特徴とする。
【００１０】
この発明によれば、液晶パネルの寿命末期が報知されることにより、使用者は液晶パネルの寿命が尽きる前に液晶パネルを交換することができる。
【００１１】
請求項４の発明は、請求項１〜３のいずれかの発明において、検出量に応じた電気信号を出力するセンサを備え、表示制御手段は、液晶パネルに設けられた各セグメントを個別に制御することによりセンサの出力に応じた表示を行わせることを特徴とする。
【００１２】
請求項５の発明は、請求項４の発明において、センサとして、検出量が湿度である湿度センサと、検出量が気温である温度センサと、検出量が煙濃度である煙検知センサと、検出量が時刻である時刻センサとの少なくとも１個を備えることを特徴とする。
【００１３】
請求項６の発明は、請求項１〜５のいずれかの発明において、液晶パネルが光源と光源によって照明される被照面との間に位置するように点灯手段と光源と液晶パネルとをそれぞれ保持する装置本体と、装置本体から分離して携行可能なリモコン装置を備え、リモコン装置は、使用者による操作入力を受け付ける操作部と、操作部で受け付けられた操作入力に応じたワイヤレス信号を送信する送信部とを有し、装置本体には、リモコン装置から送信されたワイヤレス信号を受信する受信部が保持され、表示制御手段は、受信部に受信されたワイヤレス信号に応じて、液晶パネルに設けられた各セグメントを個別に制御することにより、表示を行わせることを特徴とする。
【発明の効果】
【００１４】
本発明によれば、少なくとも一方の透明基板において透明電極が互いに電気的に分離された複数個のセグメントを有する液晶パネルと、液晶パネルに設けられた各セグメントを個別に制御することにより光源の調光比を表示する表示制御手段とを備えるので、調光比が液晶パネルに表示されることによって報知されるから、報知を音声によって行う場合と違い、複数個の照明装置で同時に報知が行われた場合にも個々の照明装置の調光比を容易に確認することができる。また、騒音の中であっても、耳の不自由な人にとっても、調光比の確認が容易である。
【発明を実施するための最良の形態】
【００１５】
以下、本発明を実施するための最良の形態について、図面を参照しながら説明する。
【００１６】
本実施形態は、図２に示すように、光源としての放電灯Ｌａと、放電灯Ｌａが収納される収納凹部１０を有する装置本体１と、円板形状であって装置本体１に取り付けられて収納凹部を閉塞する液晶パネル２と、放電灯Ｌａを点灯させる点灯手段としての点灯部３と、液晶パネル２を駆動する液晶駆動部４と、使用者による操作入力を受け付ける操作部５１と、操作部５１に受け付けられた操作入力に応じて点灯部３と液晶駆動部４とをそれぞれ制御する制御部５２とを備える。各部の電源は、それぞれ交流電源ＡＣから供給される。放電灯Ｌａの光は、液晶パネル２を通じ、床面や机上面といった被照面（図示せず）に照射される。
【００１７】
液晶パネル２は、例えば図３に示すように互いに対向する２枚の透明基板２１と、各透明基板２１の対向面にそれぞれ設けられた透明電極２２と、透明電極２２間に充填された透明樹脂２３と、透明樹脂２３中に２色性色素２４を混合して分散されたネマチック液晶２５とを備えるものである。透明基板２１の材料としては例えばアクリル樹脂やガラスを用いることができる。透明電極２２は、例えばＩＴＯ（Indium Tin Oxide：酸化インジウムスズ）を透明基板２１上に蒸着することによって形成される。透明樹脂２３としては、例えばアクリル樹脂やエポキシ樹脂を用いることができる。ネマチック液晶２５としては、耐光性が高いことが望ましく、例えばシアノビフニェール系やシクロヘキサン系などの周知のものを用いることができる。２色性色素２４としては、ネマチック液晶２５によく溶解するものが望ましく、例えばアントラキノン系やアゾ系などの周知のものを用いることができる。
【００１８】
液晶パネル２は、主透明電極２２間に駆動電圧が加わっていない状態では２色性色素２４の吸収特性に応じた色に着色された状態である。そして、主透明電極２２間に駆動電圧が加わると、液晶分子の向きが変化し、これに合わせて２色性色素２４の分子の向きが変化することにより、色が薄れて透過率が上昇する。液晶分子の電極反応による劣化を抑制するため、駆動電圧としては交流電圧が用いられる。
【００１９】
液晶パネル２としては、例えば、図４（ａ）に直線Ｂ２，Ｂ３で示すように、波長が長い光に対してほど、透過率が低くなる青色フィルタや、図４（ｂ）に直線Ｙ２，Ｙ３で示すように、波長が短い光に対してほど、透過率が低くなる黄色フィルタなどがある。上記いずれの液晶パネル２も、駆動電圧の実効値が十分に高ければ、直線Ｂ１，Ｙ１で示すように可視領域の全ての波長の光を略１００％透過させる透明な状態となる。また、駆動電圧の実効値が低いほど、また駆動電圧の周波数が高いほど、全体としての透過率は低下し、波長毎の透過率の差すなわち直線Ｂ２，Ｂ３，Ｙ２，Ｙ３の傾きは大きくなる。言い換えると、駆動電圧の実効値が低いほど、また駆動電圧の周波数が高いほど、青色の液晶パネル２は青色が濃くなって色温度を上昇させ、黄色の液晶パネル２は黄色が濃くなって色温度を低下させる。
【００２０】
点灯部３は、図５に示すように、交流電源ＡＣから供給された交流電力を直流電力に変換するコンバータ部３１と、コンバータ部３１が出力した直流電力を交流電力に変換して放電灯Ｌａに供給するインバータ部３２とを備える。
【００２１】
コンバータ部３１は、交流電源ＡＣから入力された交流電流を全波整流する整流器ＤＢ１と、ＤＢ１の出力端間に接続されたインダクタＬ１とダイオードＤ１と平滑コンデンサＣ１との直列回路と、一端がインダクタＬ１を介して整流器ＤＢ１の一方の出力端に接続されるとともに他端がＤＢ１の他方の出力端に接続されたスイッチング素子Ｑ１とを備え、平滑コンデンサＣ１の両端を出力端とする周知の昇圧型コンバータである。
【００２２】
インバータ部３２は、コンバータ部３１の出力端間に接続されたスイッチング素子Ｑ２，Ｑ３の直列回路と、一端がスイッチング素子Ｑ１，Ｑ２の接続点に接続され他端が放電灯Ｌａの一方のフィラメントに接続されたコンデンサＣ２とインダクタＬ２との直列回路と、一端がコンデンサＣ２とインダクタＬ２との上記直列回路を介してローサイドのスイッチング素子Ｑ３の一端に接続され他端がローサイドのスイッチング素子Ｑ３の他端に接続されたコンデンサＣ３とを備える、周知のハーフブリッジ型のインバータ回路である。また、始動時に放電灯Ｌａのフィラメントを予熱するために、放電灯Ｌａの各フィラメントの両端間には、それぞれ、トランスＴ１の２個の２次巻き線の一方ずつがコンデンサＣ５，Ｃ６を介して接続されている。トランスＴ１の１次巻き線は、コンデンサＣ２，Ｃ４を介してローサイドのスイッチング素子Ｑ３の両端間に接続されている。
【００２３】
また、点灯部３は、コンバータ部３１のスイッチング素子Ｑ１をオンオフ駆動するとともに、インバータ部３２のスイッチング素子Ｑ２，Ｑ３を交互にオンオフ駆動する駆動制御部３３を備える。駆動制御部３３は、制御部５２から入力される調光信号に応じて、スイッチング素子Ｑ２，Ｑ３を交互にオンオフする周波数（以下、「動作周波数」と呼ぶ。）を制御することにより、放電灯Ｌａの調光比を制御する。具体的に説明すると、コンバータ部３１のスイッチング素子Ｑ１をオンオフ駆動するとともに、インバータ部３２のスイッチング素子Ｑ２，Ｑ３を交互にオンオフ駆動する駆動回路３３ａを備える。駆動回路３３ａは入力端子を有し、この入力端子から流出する電流量に応じて動作周波数を決定する。また、駆動制御部３３は、正の入力端子と出力端子との間に抵抗Ｒ３とコンデンサＣ１１との並列回路が接続されて作動増幅器を構成するとともに出力端子が抵抗Ｒ４とダイオードＤ２とを介して駆動回路３３ａの入力端子に接続されたオペアンプＯＰ１を備える。また、駆動回路３３ａの入力端子は、抵抗Ｒ５を介してコンバータ部３１の低電圧側の出力端に接続されている。ローサイドのスイッチング素子Ｑ３は抵抗Ｒ１を介してコンバータ部３１の低電圧側の出力端に接続されており、スイッチング素子Ｑ３と抵抗Ｒ１との接続点の電位が抵抗Ｒ２を介してオペアンプＯＰ１の正の入力端子に接続されている。オペアンプＯＰ１の負の入力端子には、抵抗Ｒ３０を介して制御部５２に接続されるとともにコンデンサＣ３０を介して接地されている。制御部５２からは、ＰＷＭ信号からなる調光信号が入力されており、この調光信号がコンデンサＣ３０によって平滑され、調光信号のデューティ比に応じた電圧がオペアンプＯＰ１の負の入力端子に入力される。すなわち、駆動制御部３３では、調光信号のデューティ比に応じた一定の電力が放電灯Ｌａに供給されるように動作周波数が制御される。
【００２４】
液晶駆動部４は、交流電源ＡＣの出力した交流電圧を直流電圧に変換するコンバータ部４１と、コンバータ部４１の出力した直流電圧を交流の駆動電圧に変換して出力するインバータ部４２とを備える。
【００２５】
コンバータ部４１は、図６（ａ）に示すように、１次巻き線の両端間に交流電源ＡＣが接続される伝送トランスＴＲ１と、伝送トランスＴＲ１の２次巻き線に誘導された電流を全波整流する整流器ＤＢ２と、整流器ＤＢ２の出力端間に接続されたスイッチング素子Ｑ１０とインダクタＬ５と平滑コンデンサ１３との直列回路と、整流器ＤＢ２の出力端間に接続されてたコンデンサＣ１２と、カソードがスイッチング素子Ｑ１０とインダクタＬ５との接続点に接続されるとともにアノードが整流器ＤＢ２の低電圧側の出力端に接続されたダイオードＤ３と、スイッチング素子Ｑ１０をオンオフ駆動する駆動制御回路４１ａとを備え、平滑コンデンサＣ１３の両端を出力端とする、周知の降圧型コンバータである。駆動制御回路４１ａには制御部５２から調色信号が入力されていて、駆動制御回路４１ａが入力された調色信号に応じてスイッチング素子Ｑ１０をオンオフするデューティ比や周波数を変更することにより、コンバータ部４１の出力電圧が制御される。
【００２６】
インバータ部４２は、図６（ｂ）に示すように、コンバータ部４１の平滑コンデンサＣ１３の出力端間に接続されたスイッチング素子Ｑ４，Ｑ５の直列回路と、一端がスイッチング素子Ｑ４，Ｑ５の接続点に接続され他端が液晶パネル２の一方の主透明電極２２に接続されたインダクタＬ３と、それぞれ一端がスイッチング素子Ｑ４，Ｑ５の直列回路の一端ずつに接続され他端が液晶パネル２の他方の透明電極に接続されたコンデンサＣ８１，Ｃ８２と、制御部５２の制御に応じた駆動周波数でスイッチング素子Ｑ４，Ｑ５を交互にオンオフ駆動することにより交流の駆動電圧を生成する駆動回路４２ａとを備える。
【００２７】
制御部５２は、液晶駆動部４において、コンバータ部４１の出力電圧を制御することで駆動電圧の振幅を制御することや、インバータ部４２での駆動周波数を制御することで駆動電圧の周波数を制御することにより、液晶パネル２の色を制御する。
【００２８】
以下、本発明の主要部たる、液晶パネル２による表示を行うための構成について説明する。液晶パネル２は、図１（ａ）（ｂ）に示すように、円形状の主透明電極２２上に、例えばＳｉＯ２からなる透明な絶縁層２６を介して設けられた複数個の表示用透明電極２７ａ〜２７ｐを有する。なお、図１（ｂ）では、上下方向の寸法を誇張し、２色性色素２４及びネマチック液晶２５の図示は省略している。表示用透明電極２７ａ〜２７ｐは、いわゆる７セグメントのデジタル表示の１８８を示す形状及び配置で、合計１６対設けられている。そして、液晶駆動部４は、制御部５２に制御されてインバータ部４２を主透明電極２２と表示用透明電極２７ａ〜２７ｐとの一方に択一的に接続するセグメント駆動部４３を有する。セグメント駆動部４３は、インバータ部４２を表示用透明電極２７ａ〜２７ｐに接続した状態では、互いに対向する表示用透明電極２７ａ〜２７ｐの対（以下、「セグメント」と呼ぶ。）毎にインバータ部４２との接続すなわち駆動電圧のオンオフを個別に制御する。具体的には例えば、セグメント駆動部４３は、図７に示すように、インバータ部４２の出力端と主透明電極２２と各表示用透明電極２７ａ〜２７ｐとの間の電路にそれぞれ挿入された計３４個のスイッチング素子Ｑｄを有し、これらのスイッチング素子Ｑｄをセグメント毎に個別にオンオフ制御する。
【００２９】
制御部５２は、調光比の表示を要求する操作入力が操作部５１に受け付けられると、セグメント駆動部４３を制御し、調光比を表示させる。例えば、調光比が３０％である場合、主透明電極２２と表示用電極２７ｄ，２７ｊ，２７ｌ，２７ｏ，２７ｐとをそれぞれインバータ部４２から切り離してその他の表示用電極２７ａ〜２７ｃ，２７ｅ〜２７ｉ，２７ｋ，２７ｍ，２７ｎをそれぞれインバータ部４２に接続することで、図８に示すような表示を行う。図８において、網掛け部は液晶パネル２が着色されている範囲を示す。すなわち、制御部５２とセグメント駆動部４３とが請求項における表示制御手段を構成している。
【００３０】
上記構成によれば、報知を液晶パネル２により行っているから、報知が音声によって行われる場合と違い、複数の照明装置が同時に報知を行った場合でも個別に確認することができるから確認が容易である。また、報知が音声によって行われる場合に比べ、騒音の中であっても、また耳の不自由な人にとっても、調光比を容易に確認することができるという利点がある。さらに、放電灯Ｌａによって照明される範囲と放電灯Ｌａとの間に配置されて通常は放電灯Ｌａの光を透過させる液晶パネル２を表示に用いていることにより、比較的に面積の大きな見易い表示が可能となっている。また、液晶パネル２による表示を行うに当たり、光源たる放電灯Ｌａをバックライトとして用いていることにより、表示用のバックライトを別途に設ける場合に比べて部品点数が削減されている。
【００３１】
なお、本実施形態では液晶パネル２において主透明電極２２を透明基板２１の中央部にのみ設け、液晶パネル２の厚さ方向から見た外周部を常に透明としたが、主透明電極２２を全体に設け、主透明電極２２を用いた光の色の変更によって照明の効果がより大きく変化するようにとしてもよい。
【００３２】
また、液晶パネル２は上記構造のものに限られず、例えばそれぞれ液晶分子を配向させるためのラビングが施された主透明電極２２及び表示用透明電極２７ａ〜２７ｐ間にネマチック液晶２５を充填した構造としてもよい。
【００３３】
さらに、放電灯Ｌａが交換されたことを示す操作入力が操作部５１に前に受け付けられてからの放電灯Ｌａの累積点灯時間を測定する点灯時間測定部（図示せず）を設けるとともに、点灯時間測定部によって測定された累積点灯時間が所定の光源寿命閾値を超えているときに制御部５２がセグメント駆動部４３を制御して放電灯Ｌａの寿命末期を示す図９のような表示を液晶パネル２に行わせるようにしてもよい。図９では、表示用電極２７ａ〜２７ｅ，２７ｇ，２７ｊ，２７ｌ，２７ｍにそれぞれ駆動電圧を供給することにより、「ＬＡ」との表示を行っている。すなわち、この場合は制御部５２が請求項における光源寿命判定部である。この構成を採用すれば、放電灯Ｌａの寿命末期が報知されることにより、使用者は放電灯Ｌａの寿命が尽きる前に放電灯Ｌａを交換することができる。なお、制御部５２が、点灯・消灯の回数など、累積点灯時間以外にも放電灯Ｌａの寿命に関わる情報を記憶し、例えば点灯・消灯の回数に所定の係数を乗じて累積点灯時間に加算した数値を光源寿命閾値と比較するといったように、上記情報を寿命末期の判定に加味するようにしてもよい。
【００３４】
ところで、液晶パネル２内の２色性色素２４は光によって劣化しやすく、２色性色素２４が劣化すると色が薄くなってしまって駆動電圧による十分な色変化が得られなくなり、これが液晶パネル２の寿命となる。そして、液晶パネル２が受ける光は主に放電灯Ｌａの光である。そこで、液晶パネル２が交換されたことを示す操作入力が操作部５１に前に受け付けられてからの放電灯Ｌａの累積点灯時間を測定するパネル使用時間測定部（図示せず）を設けるとともに、パネル使用時間測定部によって測定された累積点灯時間が所定のパネル寿命閾値を超えているときに制御部５２がセグメント駆動部４３を制御して液晶パネル２の寿命末期を示す図１０のような表示を液晶パネル２に行わせるようにしてもよい。図１０では、表示用電極２７ｃ，２７ｅ，２７ｉ〜２７ｌにそれぞれ駆動電圧を供給することにより、「ＦＩ」との表示を行っている。すなわち、この場合は制御部５２が請求項におけるパネル寿命判定部である。この構成を採用すれば、液晶パネル２の寿命末期が報知されることにより、使用者は液晶パネル２の性能が損なわれる前に液晶パネル２を交換することができる。
【００３５】
さらに、周知の温度センサや湿度センサを設け、操作部５１に所定の操作入力が受け付けられたときに制御部５２がセグメント駆動部４３を制御して温度や湿度を表示させるようにしてもよい。また、非常時の避難経路の方向を示す図１１のような矢印形状の表示用透明電極２７ｑを追加するとともに、周知の煙検知器（図示せず）を設け、煙検知器において煙が検知されたときにはセグメント駆動部４３が上記表示用透明電極２７ｑに駆動電圧を供給して避難経路を示す矢印を表示させるようにしてもよい。煙検知器は例えば外部から煙が入りかつ光が入らないように構成された測定ブロックと、測定ブロック内に配置された発光ダイオードと、測定ブロック内において発光ダイオードの光が直接入射せずかつ測定ブロック内の煙で乱反射された発光ダイオードの光が入射する位置に配置されたフォトダイオードと、フォトダイオードによって検知された光量が所定の閾値を超えたときに煙が検知されたことを示す電気信号を出力する判定部とを備えるものである。さらに、時刻の表示に適した周知の形状の表示用電極（図示せず）を追加するとともに、時刻センサとしてＪＪＹの放送を受信する時刻受信手段（図示せず）を設け、時刻を要求する操作入力が操作部５１に受け付けられたときに制御部５２がセグメント駆動部４３を制御し時刻受信手段に受信された時刻を液晶パネル２に表示させるようにしてもよい。なお、時刻センサとしては、周知の水晶発振器を用いて時刻を計時する計時手段を、上記のような時刻受信手段に代えて又は組み合わせて用いてもよい。
【００３６】
さらに、図１２に示すように、装置本体１から分離して携行可能なリモコン装置６を設け、リモコン装置６を用いた操作を可能としてもよい。すなわち、リモコン装置６には、使用者による操作入力が受け付けられる操作部６１と、操作部６１に受け付けられた操作入力に応じたワイヤレス信号である操作信号を送信する送信部６２を設ける。また、装置本体１には、リモコン装置から送信された操作信号を受信する受信部５４を設け、制御部５２は受信部５４に受信された操作信号に応じて各種の制御を行うようにする。操作信号の媒体としては、赤外光や電波を用いることができる。
【００３７】
また、セグメント駆動部４３は駆動電圧の供給をオンオフするものに限られず、例えばインバータ部４２と透明電極２２，２７ａ〜２７ｑとの間にそれぞれ電気抵抗を変更可能な抵抗回路（図示せず）を挿入し、セグメント駆動部４３は抵抗回路の抵抗値を個別に制御することによってセグメント毎に駆動電圧に差を生じさせて表示を行うものとしてもよい。
【００３８】
上記各構成は、それぞれ周知技術を用いて実現可能であるので、詳細な説明及び図示は省略する。
【図面の簡単な説明】
【００３９】
【図１】（ａ）（ｂ）はそれぞれ本発明の実施形態における液晶パネルの構造を示す説明図であり、（ａ）は液晶パネルの厚さ方向から見た透明電極の配置を示す説明図であり、（ｂ）は（ａ）での下方から見た各部の位置関係を示す説明図である。
【図２】同上の全体構成を示すブロック図である。
【図３】同上の液晶パネルの要部を示す断面図である。
【図４】（ａ）（ｂ）はそれぞれ同上に用いられる液晶パネルの動作の一例を示す説明図であり、（ａ）は青色の液晶パネルの動作を示し、（ｂ）は黄色の液晶パネルの動作を示す。
【図５】同上の点灯部を示す回路ブロック図である。
【図６】同上の液晶駆動部を示す回路ブロック図であり、（ａ）はコンバータ部を示し、（ｂ）はインバータ部を示す。
【図７】同上の液晶駆動部のセグメント駆動部の構成の一例を示す説明図である。
【図８】同上の液晶パネルによって行われる表示の一例を示す説明図である。
【図９】同上の液晶パネルによって行われる表示の別の例を示す説明図である。
【図１０】同上の液晶パネルによって行われる表示の更に別の例を示す説明図である。
【図１１】同上の別の形態における液晶パネルの要部を示す説明図である。
【図１２】同上の更に別の形態の要部を示すブロック図である。
【符号の説明】
【００４０】
１  装置本体
２  液晶パネル
３  点灯部
４  液晶駆動部
６  リモコン装置
２１  透明基板
２２  主透明電極
２７ａ〜２７ｑ  表示用透明電極
４３  セグメント駆動部
５２  制御部
５４  受信部
６１  操作部
６２  送信部
Ｌａ  放電灯
【図１】
2007265812.tif 000003
【図２】
2007265812.tif 000004
【図３】
2007265812.tif 000005
【図４】
2007265812.tif 000006
【図５】
2007265812.tif 000007
【図６】
2007265812.tif 000008
【図７】
2007265812.tif 000009
【図８】
2007265812.tif 000010
【図９】
2007265812.tif 000011
【図１０】
2007265812.tif 000012
【図１１】
2007265812.tif 000013
【図１２】
2007265812.tif 000014